(57)【要約】【課題】  授乳用での使用時の安定性及びベッドとしての使用時の利便性に優れた、乳児への授乳時に腰部の周囲に装着して使用され、乳児用のベッドとしても使用することが可能な授乳用クッションを提供する。【解決手段】  ドーナツ型の授乳用クッションの装着時の開け口となる背面側に設けられる開口部を、現在提供されている一般的な授乳用クッションのように空間を設けたり、先端部のみが接触したりする形状とするのではなく、開口部を形成する両側の面に隙間が生じないように両側の面の略全体が接触する構造とすることによって、授乳用に使用する際の安定性を確保する。また、平面上に横置きしてベッドとして使用する際には、全体の高さが略均一であることに加えて、「Ｃ」字型のように切れ目となる空間がないドーナツ型の形状が維持されるため、Ｃカーブを保ちながら乳児を横向きに寝かせることも可能になる。【選択図】        図１
2018019804.tif 000002
【特許請求の範囲】
【請求項１】
授乳時には腰部の周囲に装着して使用され、背面側に装着時の開け口となる開口部が設けられたドーナツ型の授乳用クッションであって、
腰部の周囲に装着しない状態では、前記開口部を形成する両側の面に隙間が生じないように前記両側の面の略全体が接触し、
平面上に横置きした状態では、全体の高さが略均一となるよう形成されること
を特徴とする授乳用クッション。
【請求項２】
正面側の幅が背面側の幅より広い上面及び底面の生地と、正面側の幅が背面側の幅より狭い内側面及び外側面の生地を縫い合わせたクッションカバーに、中材を充填することによってドーナツ型に形成されること
を特徴とする請求項１記載の授乳用クッション。
【請求項３】
全体の縦横幅が４５−６５ｃｍに対して、縫い代となる部分を除いて、上面及び底面の生地の正面側の最も広い部分の幅が１８−２２ｃｍで背面側の最も狭い部分の幅が７−９ｃｍ、内側面の生地の正面側の最も狭い部分の幅が４−５ｃｍで背面側の最も広い部分の幅が１２−１５ｃｍ、外側面の生地の正面側の最も狭い部分の幅が７−９ｃｍで背面側の最も広い部分の幅が１２−１５ｃｍとなること
を特徴とする請求項２記載の授乳用クッション。
【請求項４】
クッションカバーに充填される中材は、正面側の上面又は底面の生地と内側面の生地の縫合部の一部に設けられた中材充填口から充填されること
を特徴とする請求項２又は３記載の授乳用クッション。
【請求項５】
全体の縦横幅が４５−６５ｃｍ、高さ１２−１５ｃｍのクッションカバーに、９００−１，０００ｇのポリエステル綿の中材を充填すること
を特徴とする請求項２乃至４いずれかに記載の授乳用クッション。
【発明の詳細な説明】
【技術分野】
【０００１】
本発明は、乳児への授乳時に腰部の周囲に装着して使用され、乳児用のベッドとしても使用することが可能な授乳用クッションに関するものである。
【背景技術】
【０００２】
授乳時において乳児の姿勢を安定した状態に保ちながら、授乳する母親への負担を軽減するために、乳児への授乳時に母親の腰部の周囲に巻き付けるように装着して使用する、様々なタイプの授乳用クッションが提供されている。
【０００３】
こうした授乳用クッションの中には、腰部の周囲に巻き付けた際の位置が安定するように、背面側に設けたベルトやバンドで固定するものも提案されているが（例えば、特許文献１及び２参照。）、使用するたびにベルトやバンドを締めたり外したりするのが面倒であることに加えて、腰部から外した状態で平面に置き、乳児用のベッドとして使用しようとすると、ベルトやバンドの部分が邪魔になるほか、ベルトやバンドを設ける部分の空間が広くなるため、ベッドとしての使用には適さないという問題がある。
【０００４】
そのため、現在商品化されている授乳用クッションを見ると、背面側に空間を設けた「Ｃ」字型のクッションで腰部を挟み込む形状にして、ベルトやバンドを設けないタイプ（例えば、特許文献３参照。）が主流となっている。
【先行技術文献】
【特許文献】
【０００５】
【特許文献１】特開２００５−２４５９２０号公報
【特許文献２】実用新案登録第３１４９１４１号公報
【特許文献３】実用新案登録第３１８１０５９号公報
【発明の概要】
【発明が解決しようとする課題】
【０００６】
背面側に空間を設けて腰部に挟み込む「Ｃ」字型の授乳用クッションであれば、使用時の腰部への付け外しが楽であることに加えて、外して平面に置くと、中央にできる空間を利用して乳児用のベッドとしても使用することが可能になる利点がある。特許文献３に開示された授乳用クッションも、Ｃカーブ用クッション（「Ｃカーブ」とは、首がすわる前の乳児の背骨がＣ字型に湾曲していることを指し、乳児を寝かせる際にはこの「Ｃカーブ」を維持した状態とすることが望ましいとされている。）を併用することによって、乳児用ベッドとして使用できることが説明されている。
【０００７】
しかしながら、こうした背面側に空間を設けた「Ｃ」字型の授乳用クッションは、中材が入りにくい「Ｃ」字の両端部分が柔らかくなりやすく、これがいわゆる「へたり」の原因となって、腰部の周囲に巻き付けるように装着した際の安定性に不安があると言われている。
【０００８】
また、平面に置いて乳児用のベッドとして使用する際には、背面側の空間との関係で乳児を寝かせる向きが一方向に固定されてしまう（背面側の空間の位置に足がくるようにしなければならない）とともに、クッションの形状を保って乳児の姿勢を安定させるために、特許文献３記載の「Ｃカーブ用クッション」のような補助具を要する場合もあり、その利便性には課題があると考えられる。
【０００９】
本発明は、このような課題を解決するためになされたものであり、授乳用での使用時の安定性及びベッドとしての使用時の利便性に優れた、乳児への授乳時に腰部の周囲に装着して使用され、乳児用のベッドとしても使用することが可能な授乳用クッションを提供することを目的とするものである。
【課題を解決するための手段】
【００１０】
このような課題を解決する本発明は、授乳時には腰部の周囲に装着して使用され、背面側に装着時の開け口となる開口部が設けられたドーナツ型の授乳用クッションであって、腰部の周囲に装着しない状態では、前記開口部を形成する両側の面に隙間が生じないように前記両側の面の略全体が接触し、平面上に横置きした状態では、全体の高さが略均一となるよう形成されることを特徴とする授乳用クッションである。
【００１１】
本発明では、ドーナツ型の授乳用クッションの装着時の開け口となる背面側に設けられる開口部を、現在提供されている一般的な授乳用クッションのように空間を設けたり、先端部のみが接触したりする形状とするのではなく、開口部を形成する両側の面に隙間が生じないように両側の面の略全体が接触する構造とすることによって、授乳用に使用する際の安定性を確保している。また、平面上に横置きしてベッドとして使用する際には、全体の高さが略均一であることに加えて、「Ｃ」字型のように切れ目となる空間がないドーナツ型の形状が維持されるため、Ｃカーブを保ちながら乳児を横向きに寝かせることも可能になる。
【００１２】
本発明は、正面側の幅が背面側の幅より広い上面及び底面の生地と、正面側の幅が背面側の幅より狭い内側面及び外側面の生地を縫い合わせたクッションカバーに、中材を充填することによってドーナツ型に形成されることを特徴とすることもできる。
【００１３】
全体の縦横幅が４５−６５ｃｍに対して、縫い代となる部分を除いて、上面及び底面の生地の正面側の最も広い部分の幅が１８−２２ｃｍで背面側の最も狭い部分の幅が７−９ｃｍ、内側面の生地の正面側の最も狭い部分の幅が４−５ｃｍで背面側の最も広い部分の幅が１２−１５ｃｍ、外側面の生地の正面側の最も狭い部分の幅が７−９ｃｍで背面側の最も広い部分の幅が１２−１５ｃｍとなることを特徴としてもよい。
【００１４】
クッションカバーに充填される中材は、正面側の上面又は底面の生地と内側面の生地の縫合部の一部に設けられた中材充填口から充填されることを特徴としてもよい。
【００１５】
以上のように構成すると、中材を充填しにくいため、あるいは、中材を充填した後に中材が正面側に押し戻されてしまうために、均一な高さを維持しにくくなる背面側に形成される開口部の先端部分についても、中材を詰めた後にも必要な高さを維持しやすい構造となり、全体の高さが略均一となる形状が実現される。
【００１６】
本発明は、全体の縦横幅が４５−６５ｃｍ、高さ１２−１５ｃｍのクッションカバーに、９００−１，０００ｇのポリエステル綿の中材を充填することを特徴とすることもできる。
【００１７】
このように構成すると、一般的な授乳用クッションに比べて中材が２倍程度の密度で充填されるため、いわゆる「へたり」が生じにくく、本発明に係る授乳用クッションの形状を保持しやすい構造となる。
【発明の効果】
【００１８】
本発明によると、授乳時に腰部の周囲に巻き付けるように装着して使用する際の安定性に優れ、かつ、乳児用ベッドとしての使用時には、Ｃカーブを保ちながら乳児を縦向きにも横向きにも寝かせることができる授乳用クッションが提供され、母親の子育てに役立つものとなることが期待できる。
【図面の簡単な説明】
【００１９】
【図１】本発明に係る授乳用クッションの斜視図である。
【図２】本発明に係る授乳用クッションの授乳時の使用状態を示す図である。
【図３】本発明に係る授乳用クッションの乳児用ベッドとしての使用状態を示す図である。
【図４】本発明に係る授乳用クッションの上面生地及び底面生地の形状を示す図である。
【図５】本発明に係る授乳用クッションの内側面生地の形状を示す図である。
【図６】本発明に係る授乳用クッションの外側面生地の形状を示す図である。
【図７】本発明に係る授乳用クッションの内側面生地と外側面生地の縫合部を示す図である。
【図８】本発明に係る授乳用クッションの中材充填口を示す図である。
【図９】本発明に係る授乳用クッションの上面図である。
【図１０】本発明に係る授乳用クッションの正面図である。
【図１１】本発明に係る授乳用クッションの背面図である。
【図１２】本発明に係る授乳用クッションの右側面図である。
【図１３】本発明に係る授乳用クッションの試作品の図面代用写真である。
【発明を実施するための形態】
【００２０】
本発明を実施するための形態について、図面を用いて以下に詳細に説明する。尚、以下の説明は、本発明の実施形態の一例を示したものであって、授乳用クッションの具体的な大きさや形状、使用する材料等は、ここに示した実施形態の例に限定されるものではない。
【００２１】
図１は、本発明に係る授乳用クッションを背面側の斜め上から見た斜視図である。本発明に係る授乳用クッションは、全体の高さが略均一のドーナツ型の形状であり、授乳時には腰部に巻き付けるように装着して使用するが、背面側には、装着時の開け口となる開口部４が設けられている。
【００２２】
授乳時に腰部に巻き付けるように装着して使用するタイプの授乳用クッションでは、腰部の周囲に装着しない状態でも、この開口部４に当たる部分が開いた構造（あるいは、開いた両端部をベルトやバンドでつなぐ構造）となり、全体が「Ｃ」字型に形成されているものが一般的であるが、本発明に係る授乳用クッションは、腰部の周囲に装着しない状態において、開口部４を形成する両側の面に隙間が生じないように、両側の面の略全体が接触した構造となることを特徴としている。
【００２３】
図２は、本発明に係る授乳用クッションの授乳時の使用状態を示しているが、開口部４に当たる部分が開いたタイプの授乳用クッションに比べて、背面側が広く覆われる状態となり、授乳用クッションの上に乳児を寝かせて授乳する際の安定性が向上する。また、開口部４に当たる部分をベルトやバンドでつなぐタイプの授乳用クッションと比べても、使用時の腰部への付け外しが楽であり、利便性に優れた形状となっている。
【００２４】
尚、本発明に係る授乳用クッションは全体の高さが略均一であるため、授乳用クッションとして使用する際には、乳児の頭を持ち上げることが必要になるが、乳児の頭は右側又は左側のいずれにくる場合もあり、右側又は左側の一方がはじめから傾斜している形状となることは好ましくないため、授乳時には頭を持ち上げる側にバスタオル等を挟むこととすればよい。
【００２５】
図３は、本発明に係る授乳用クッションの乳児用ベッドとしての使用状態を示している。本発明では、授乳用クッションは全体の高さが略均一となることに加えて、開口部４を形成する両側の面の略全体が接触した構造となるため、乳児を（ａ）のように縦向きにも、（ｂ）のように横向きにも、Ｃカーブを保ちながら寝かせることが可能である。開口部４に当たる部分が開いた構造（あるいは、開いた両端部をベルトやバンドでつなぐ構造）となり、全体が「Ｃ」字型に形成されている一般的な授乳用クッションは、乳児を（ｂ）のように横向きに寝かせると、乳児が開口部４に当たる開いた部分にズレ落ちることになってしまうため、Ｃカーブを保ちながら乳児を横向きにも寝かせられることが本発明に係る授乳用クッションの重要な利点の一つとなる。
【００２６】
尚、乳児を寝かせる際に保たれる「Ｃカーブ」とは、首がすわる前の乳児の背骨がＣ字型に湾曲していることを指し、乳児を寝かせる際にはこの「Ｃカーブ」を維持した状態とすることが望ましいとされている。図３では、（ａ）及び（ｂ）のいずれにおいても、乳児の体が授乳用クッションの中央の空間部分に沈み込む体勢になるため、Ｃカーブが保たれた状態で寝かせることができる。
【００２７】
以上に説明した本発明に係る授乳用クッションの構造は、正面側の幅が背面側の幅より広い上面生地１及び（図１０−１２に表れる）底面生地６と、正面側の幅が背面側の幅より狭い外側面生地２及び内側面生地３を縫い合わせたクッションカバーに、中材充填口５からポリエステル綿等の中材を充填することによって実現されるが、次にその点について詳述する。
【００２８】
図４は、本発明に係る授乳用クッションの上面生地１及び底面生地６の形状の一例を示したものである。上面生地１及び底面生地６はドーナツ型の同じ形状となるが、いずれも正面側の幅が背面側の幅より広く形成される。ここに例として示した試作品では、縦幅（ａ）が約５０ｃｍ、横幅（ｂ）が約５８ｃｍに対して（全体の縦横幅は４５−６５ｃｍとすることが好適である。）、上面及び底面の生地の正面側の最も広い部分（ｃ）の幅が約２０ｃｍ（１８−２２ｃｍとすることが好適である。）、背面側の最も狭い部分（ｄ）の幅が約８ｃｍ（７−９ｃｍとすることが好適である。）となる。
【００２９】
図５は、本発明に係る授乳用クッションの内側面生地３の形状の一例を示したものである。内側面生地３は、授乳用クッションの腰部に接する内周部であり、横長の形状となるが、正面側の幅が背面側の幅より狭く形成される。ここに例として示した試作品では、横幅（ａ）が約６０ｃｍに対して、正面側の最も狭い部分（ｂ）の幅が約５ｃｍ（４−５ｃｍとすることが好適である。）、背面側の最も広い部分（ｃ）の幅が約１３ｃｍ（１２−１５ｃｍとすることが好適である。）となる。
【００３０】
図６は、本発明に係る授乳用クッションの外側面生地２の形状の一例を示したものである。外側面生地２は、授乳用クッションの外周部であり、横長の形状となるが、正面側の幅が背面側の幅より狭く形成される。ここに例として示した試作品では、横幅（ａ）が約２１０ｃｍに対して、正面側の最も狭い部分（ｂ）の幅が約８ｃｍ（７−９ｃｍとすることが好適である。）、背面側の最も広い部分（ｃ）の幅が約１４ｃｍ（１２−１５ｃｍとすることが好適である。）であり、内側面生地３との縫合部（ｄ）の幅は、内側面生地３と同じ約１３ｃｍ（１２−１５ｃｍとすることが好適である。）となる。
【００３１】
尚、ここに例として示した試作品では、図７に示したように、外側面生地２と内側面生地３を縫合する側面生地縫合部７を、縫い目を見えにくくするというデザイン上の理由から、開口部４より内側、すなわち、授乳用クッションの腰部に接する内周部に設けることとしているが、側面生地縫合部７の位置はこの例に限定されるものではなく、開口部４を形成する両側の面が接する部分、あるいは、開口部４より外側の外周部に設けることとしてもよい。
【００３２】
また、図４−６では、縫い代となる部分を省略しているが、各々の外周には縫合に必要な縫い代（その幅は特に限定されないが、１ｃｍ程度とすることが好適である。）を設けることが必要になる。
【００３３】
以上に説明した図４−６の生地を縫合して内部が空洞であるクッションカバーに、ポリエステル綿等の中材を充填することによって、平面上に横置きすると全体の高さが略均一となる、本発明に係る授乳用クッションが形成される。中材の充填方法は特に限定されるものではないが、例えば、図８に示したように、正面側となる内周部の上面生地１又は底面生地６と内側面生地３の縫合部の一部に中材充填口５を設け、他の部分を全て縫合した後に中材充填口５から中材を充填し、最後に中材充填口５を縫合することとすればよい。他の部分に充填口を設ける場合に比べて、一つの充填口から中材を均一に充填しやすくなるため、この位置に中材充填口５を設けるのが好適である。
【００３４】
しかしながら、この位置に中材充填口５を設けて中材を充填する場合、背面側に形成される開口部４の先端部にまで中材を充填させにくいという課題が生じることになる。当初の試作品では、図４−６の例に示した形状の生地ではなく、外側面生地２と内側面生地３の幅を均一にして縫合したクッションカバーにポリエステル綿等の中材を充填したが、先端部にまで中材が十分に充填されにくいことに加えて、中材を充填した後にも中材が正面側に押し戻されてしまうため、均一な高さを維持しにくくなるという課題が生じることが明らかとなった。
【００３５】
実際、現在提供されている、授乳時に腰部に巻き付けるように装着して使用するタイプで、全体が「Ｃ」字型に形成された授乳用クッションは、特に開口部４に該当する背面側の開いた部分となる先端部側の高さが正面側より低くなっており、授乳用クッションとしての使用時の安定性を損なう要因や、ベッドとしての使用を妨げる要因となっている。
【００３６】
そこで、生地の形状を変化させて試作を繰り返したところ、外側面生地２及び内側面生地３を正面側の幅が背面側の幅より狭くなるよう形成することによって、この課題を解決できることに想到した。また、外側面生地２及び内側面生地３をこのような形状とする場合、クッション全体の太さの均一性を保つためには、上面生地１及び底面生地６は、正面側の幅が背面側の幅より広い形状とすることが必要になる。これらの生地を縫合すると、開口部４を形成するクッションカバーの先端部の高さが、外側面生地２及び内側面生地３の背面側の幅の広さによって維持されるので、先端部にも十分な中材が充填されて、その状態が維持されやすい構造となる。
【００３７】
また、図４−６の例に示した形状の生地を縫合すると、クッション全体の太さは略均一に保たれながらも、正面側は上面生地１の幅が広いため、内周部に向けてのカーブが比較的緩やかになり、その部分に乳児を母体側に傾けて寝かせやすくなり、使用時の圧迫感も軽減されやすいというメリットが生じることになる。
【００３８】
さらに、本発明では、ベッドとして使用する等の目的で平面上に横置きした際に、全体の高さが略均一となるように、一般的な授乳用クッションの約２倍の密度の中材を充填することによって十分な固さを保ち、その形状を維持できる構造としている。具体的には、例えば、全体の縦横幅が４５−６５ｃｍ、高さ１２−１５ｃｍのクッションカバーに、９００−１，０００ｇのポリエステル綿の中材を充填することによって、一般的な授乳用クッションの約２倍の密度となる中材が充填された授乳用クッションを実現することができる。
【００３９】
尚、中材には、弾力性があること、乾きやすく、カビにくいことから、ポリエステル１００％の素材を用いることが好ましい。表面に表れる上面生地１及び底面生地６、並びに外側面生地２及び内側面生地３には、肌触りが良く、肌の弱い乳児にも優しい綿１００％の素材を用いることが好ましいが、洗濯の利便性等を考慮すると、同じ形状の生地を縫合した２つのクッションカバーを重ねた二重構造とする（その場合は、内側のクッションカバーに中材充填口５が設けられて中材が充填され、外側のクッションカバーは選択時等に取り外しが可能な、いわゆる「クッションカバー」となる。）ことが好ましく、その場合は外側のクッションカバーに綿１００％の素材を用いることが好ましいことになる。
【００４０】
図９は、本発明に係る授乳用クッションの上面図である。上面から見ると、背面側の開口部４で両側の面が接触した、正面側の幅が背面側の幅より広い上面生地１の形状が表れる。底面図についても、同様の形状となる。
【００４１】
図１０は、本発明に係る授乳用クッションの正面図である。正面から見ると、両横が膨らんだ横長の形状となるが、上面生地１と外側面生地２、底面生地６と外側面生地２の縫合面が表れ、外側面生地２の幅は、両横側がやや広い形状となる。
【００４２】
図１１は、本発明に係る授乳用クッションの背面図である。背面から見ると、中央部に開口部４が表れ、開口部４では両側の先端部の面が接しているが、その両横に対象となって表れる授乳用クッションの本体には、上面生地１と外側面生地２、底面生地６と外側面生地２の縫合面が表れ、外側面生地２の幅は、両横側がやや狭い形状となる。
【００４３】
図１２は、本発明に係る授乳用クッションの右側面図である。正面から見て右側の側面から見ると、両横が膨らんだ横長の形状となるが、上面生地１と外側面生地２、底面生地６と外側面生地２の縫合面が表れ、外側面生地２の幅は、背面側がやや広い形状となる。左側面図は、右側面図の対象形となる。
【００４４】
以上に説明した本発明に係る授乳用クッションの試作品を、背面側の斜め上から撮影した図面代用写真が、図１３である。
【符号の説明】
【００４５】
１  上面生地
２  外側面生地
３  内側面生地
４  開口部
５  中材充填口
６  底面生地
７  側面生地縫合部
【図１】
2018019804.tif 000003
【図２】
2018019804.tif 000004
【図３】
2018019804.tif 000005
【図４】
2018019804.tif 000006
【図５】
2018019804.tif 000007
【図６】
2018019804.tif 000008
【図７】
2018019804.tif 000009
【図８】
2018019804.tif 000010
【図９】
2018019804.tif 000011
【図１０】
2018019804.tif 000012
【図１１】
2018019804.tif 000013
【図１２】
2018019804.tif 000014
【図１３】
2018019804.tif 000015
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
授乳時には腰部の周囲に装着して使用され、背面側に開口部が設けられたドーナツ型の授乳用クッションであって、
全体の縦横幅は４５−６５ｃｍの範囲内、平面上に横置きした状態における全体の高さは１２−１５ｃｍの範囲内にあり、
縫い代となる部分を除いて、上面及び底面の生地の正面側の最も広い部分の幅が１８−２２ｃｍの範囲内で背面側の最も狭い部分の幅が７−９ｃｍの範囲内にあり、内側面の生地の正面側の最も狭い部分の幅が４−５ｃｍの範囲内で背面側の最も広い部分の幅が１２−１５ｃｍの範囲内にあり、外側面の生地の正面側の最も狭い部分の幅が７−９ｃｍの範囲内で背面側の最も広い部分の幅が１２−１５ｃｍの範囲内にある、正面側の幅が背面側の幅より広い上面及び底面の生地と、正面側の幅が背面側の幅より狭い内側面及び外側面の生地を縫い合わせたクッションカバーの内部には、９００−１，０００ｇの範囲内にあるポリエステル綿の中材が充填されており、
正面側の上面又は底面の生地と内側面の生地の縫合部の一部には、中材を充填するための中材充填口が設けられていて、
腰部の周囲に装着しない状態では、前記開口部を形成する両側の面に隙間が生じないように前記両側の面の略全体が接触する形状であること
を特徴とする授乳用クッション。
【手続補正２】
【補正対象書類名】明細書
【補正対象項目名】００１０
【補正方法】変更
【補正の内容】
【００１０】
このような課題を解決する本発明は、授乳時には腰部の周囲に装着して使用され、背面側に開口部が設けられたドーナツ型の授乳用クッションであって、全体の縦横幅は４５−６５ｃｍの範囲内、平面上に横置きした状態における全体の高さは１２−１５ｃｍの範囲内にあり、縫い代となる部分を除いて、上面及び底面の生地の正面側の最も広い部分の幅が１８−２２ｃｍの範囲内で背面側の最も狭い部分の幅が７−９ｃｍの範囲内にあり、内側面の生地の正面側の最も狭い部分の幅が４−５ｃｍの範囲内で背面側の最も広い部分の幅が１２−１５ｃｍの範囲内にあり、外側面の生地の正面側の最も狭い部分の幅が７−９ｃｍの範囲内で背面側の最も広い部分の幅が１２−１５ｃｍの範囲内にある、正面側の幅が背面側の幅より広い上面及び底面の生地と、正面側の幅が背面側の幅より狭い内側面及び外側面の生地を縫い合わせたクッションカバーの内部には、９００−１，０００ｇの範囲内にあるポリエステル綿の中材が充填されており、正面側の上面又は底面の生地と内側面の生地の縫合部の一部には、中材を充填するための中材充填口が設けられていて、腰部の周囲に装着しない状態では、前記開口部を形成する両側の面に隙間が生じないように前記両側の面の略全体が接触する形状であることを特徴とする授乳用クッションである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明のように構成すると、中材を充填しにくいため、あるいは、中材を充填した後に中材が正面側に押し戻されてしまうために、均一な高さを維持しにくくなる背面側に形成される開口部の先端部分についても、中材を詰めた後にも必要な高さを維持しやすい構造となり、全体の高さが略均一となる形状が実現される。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明ように構成すると、一般的な授乳用クッションに比べて中材が２倍程度の密度で充填されるため、いわゆる「へたり」が生じにくく、本発明に係る授乳用クッションの形状を保持しやすい構造となる。